(57)【特許請求の範囲】
【請求項１】
長方形状の上面の４辺に折り畳み式の蓋を有する段ボール製の箱体に、長尺の植物束を詰めて蓋を折り畳む際に使用する箱体の封函補助装置であって、前記箱体の底面形状にほぼ沿う枠体（１）と、この枠体（１）を支える脚部（２ｃ）とより成り、箱体の短辺一側に近接して設けられ前記枠体（１）に固定されたポール（６）と、このポール（６）に揺動自在に設けられ箱体の短辺内蓋を閉位置に押さえるアーム部材（７）と、アーム部材（７）を上記閉位置に保持するロック機構（８）と、箱体の長辺外蓋の内面に接し長辺外蓋の閉動作により移動して上記ロック機構（８）を解除するロック解除機構（１１）とより成る箱体の封函補助装置。
【請求項２】
前記ロック機構（８）は、板状の押え板（７ａ）と、押え板（７ａ）に一体的に取付けられた筒（７ｂ）内にて長手軸方向に摺動可能なロック軸（１０）と、ロック軸（１０）を押圧するバネ（９）と、同じくロック機構（８）に取付けられたレバー（７ｄ）の一端に取付けられて、他端は固定体であるポール本体（６ａ）の一端にてバネ作用する引戻しバネ（１２）と、レバー（７ｄ）の中間部を固定体であるポール本体（６ａ）に回転軸（１３）で回動可能に構成し、ポール（６）に設けられたロック穴（６ｂ）にロック軸（１０）を嵌入するものであり、ロック解除機構（１１）は、筒（７ｂ）の外部に設けられた溝カム（７ｃ）と、ロック軸（１０）に一体的に取付けられた解除棒（１１ａ）と、解除棒（１１ａ）に取付けられたローラー（１１ｂ）とで構成され、解除棒（１１ａ）を動作させる事によりロック軸（１０）をロック解除方向に作用させて、引戻しバネ（１２）によりロック機構（８）をロック解除させるものであることを特徴とした請求項１に記載の箱体の封函補助装置。
【請求項３】
枠体（１）が脚部（２ｃ）に対して傾斜角度調節可能な請求項１又は、２に記載の箱体の封函補助装置。
【請求項４】
脚部（２ｃ）が枠体（１）に対して折畳み可能な請求項１、２又は３のいずれかに記載の箱体の封函補助装置。
【発明の詳細な説明】
【０００１】
【発明の属する技術分野】
本発明は、花き等の長尺植物を切り花として出荷する為、その切り花を数本づつ束ねて段ボール箱に詰め、蓋をする際に使用する箱体の封函補助装置に関するものである。
【０００２】
【従来の技術】
畑で栽培され収穫される菊等の切り花は、所定の本数に束ねられ段ボール箱に詰めて出荷される。菊等の切り花を出荷するには、出荷基準に合わせなければならない。１０００ｍｍ前後と比較的草丈の長い又、剛性のある菊等の切り花の場合、切り花は一旦所定の本数に束ねられるが茎の上部と下部では形状が異なっている為、通常は１０本程度を一つの束として１００本入り箱には１０束、２００本入り箱には２０束を、茎の上部と下部を交互に逆向きに並べて一箱に詰める。しかし段ボール箱に詰めた後、蓋を閉じる場合花束の剛性が大きい為、蓋が持ち上がり押えた状態で閉じなければならないのが普通である。
【０００３】
上開きの段ボール箱の蓋を閉じる手順を図１３により説明する。平面形状が長方形状の段ボール箱(箱体)１４には、向かい合った短辺側に内蓋Ａ１４ａ、内蓋Ｂ１４ｂがあり、長辺側にも向かい合った双方で開口部全体を覆う外蓋Ａ１４ｃ、外蓋Ｂ１４ｄがある。切り花の草丈にもよるが長辺の長さは例えば９００〜１５００ｍｍ程度、短辺の長さは２５０〜５００ｍｍ程度である。図１３（イ）に示すように蓋を全て開いた状態で中に花の束をいれる。花の束は前記したように箱体の開口面よりも盛り上がっているのが普通である。まず図１３（ロ）に示すように短辺側の内蓋Ａ１４ａを折畳み保持した状態で、次に（ハ）に示す内蓋Ｂ１４ｂを折畳み保持する。つづいて（ニ）のように長辺一方の外蓋Ａ１４ｃを折畳むことにより保持していた短辺両側の内蓋Ａ１４ａ、内蓋Ｂ１４ｂを上から押え、最後にもう片方の外蓋Ｂ１４ｄを折畳み外蓋双方の合わせ目に粘着テープを貼り固定する。
【０００４】
ところで上記作業を合理的に行う為に例えば実用新案登録第３０６３００４号の装置が提案されている。この装置は箱体の側面の膨らみを矯正しながら作業者の負担を減ずるものであるが、それでも尚内蓋押え２４を別途操作しなければならない頻雑さがあった。
【０００５】
【発明が解決しようとする課題】
本発明は、この封函作業を一人で楽に行う事ができ、更に実用新案登録第３０６３００４号の構造の欠点をも排除した簡単な装置を提供することを目的とする。
【０００６】
【課題を解決するための手段】
本発明は、長方形状の上面の４辺に折り畳み式の蓋を有する段ボール製の箱体に、長尺の植物束を詰めて蓋を折り畳む際に使用する箱体の封函補助装置であって、前記箱体の底面形状にほぼ沿う枠体と、この枠体を支える脚部とより成り、箱体の短辺一側に近接して設けられ前記枠体に固定されたポールと、このポールに揺動自在に設けられ箱体の短辺内蓋を閉位置に押さえるアーム部材と、アーム部材を上記閉位置に保持するロック機構と、箱体の長辺外蓋の内面に接し長辺外蓋の閉動作により移動して上記ロック機構を解除するロック解除機構とより成る箱体の封函補助装置である。
【０００７】
あるいは前記ロック機構は、板状の押え板と、押え板に一体的に取付けられた筒内にて長手軸方向に摺動可能なロック軸と、ロック軸を押圧するバネと、同じくロック機構に取付けられたレバーの一端に取付けられて、他端は固定体であるポール本体の一端にてバネ作用する引戻しバネと、レバーの中間部を固定体であるポール本体に回転軸で回動可能に構成し、ポールに設けられたロック穴にロック軸を嵌入するものであり、ロック解除機構は、筒の外部に設けられた溝カムと、ロック軸に一体的に取付けられた解除棒と、解除棒に取付けられたローラーとで構成され、解除棒を動作させる事によりロック軸をロック解除方向に作用させて、引戻しバネによりロック機構をロック解除させるものである前記の箱体の封函補助装置である。
【０００８】
望ましくは前記枠体が脚部に対して傾斜角度調節可能な前記の箱体の封函補助装置であり、あるいは前記脚部が枠体に対して折畳み可能な前記の箱体の封函補助装置である。
【０００９】
【発明の実施の形態】
本発明の、実施例を図１〜図１２に又、箱体の封函説明図を図１３に示す。図１は、本発明による箱体の封函補助装置の外観斜視図を示し、参考までに箱体との関係位置を図１０に示す。
【００１０】
図１において１は、枠体を示し側板１ａと連接部材１ｂで長方形を形成し、その一部に封函対象物を載置可能とする載置板１ｃが取付けられている。枠体１の下部には、枠体１を保持する関係位置に側板２ａと継ぎ材２ｂとで長方形を形成し、しかもその各コーナー部には脚部２ｃが図６に示す固定軸５によって矢印(ａ)、(ｂ)の方向に回動可能な状態に取付けられた図７、図８に示す状態になる架台２がある。
【００１１】
枠体１と架台２とは、枠体１の側板１ａ部と架台２の側板２ａ部とで一端側は回動支点とし他端側は２つのリンク３、４によって連合され枠体１は架台２に対して図５において右側が高い状態での傾斜状態を取り、一方、リンク４を矢印(ｅ)の方向に動かすことによってリンク３は(ｆ)の方向に動作して、その結果側板１ａは、矢印(ｇ)の方向に作動し最終的には図８に示す状態となる。
【００１２】
また側板１ａの側端にはポール６が載置板１ｃに対し直角垂直方向に、しかも載置板１ｃ面に対し図１２に示す調節ネジ部材１５により上下方向に伸縮可能に取付けられている。これは載置板１ｃに載置された箱体の高さの違いに対応するものである。あるいはポール６が側板１ａに調節ネジ部材１６により水平方向に移動可能に取付けられ箱体の短辺側の長さの違いに対応している。
【００１３】
図２においてポール６の上端部には、ロック穴６ｂ、カム６ｃ、ストッパー６ｄとが連続して設けられている。その他ポール６の上部側端部にあるロック機構８は、アーム部材７と、バネ９と、ロック軸１０と、引戻しバネ１２とで構成され押え板７ａと、押え板７ａに一体となった筒７ｂ、さらに筒７ｂに一体となったレバー７ｄ、レバー７ｄの一端部には引戻しバネ１２が取付けられ引戻しバネ１２の他端はポール本体６ａの一部に取付けられている。またレバー７ｄの中間部は、回転軸１３によってポール本体６ａに回転可能に取付けてある。一方、筒７ｂの内部にはバネ９が装着されロック軸１０を弾性付勢しているものである。
【００１４】
またロック機構である８が図２、図３、図４、図５に示す位置即ち箱体の内蓋Ａ１４ａ部を押え板７ａの下面で封函した状態で、しかもロック軸１０がバネ９の付勢力によってロック穴６ｂと係合している状態がロック状態である。
【００１５】
ロック解除機構１１は、ロック軸１０の外周に取付けられた棒状の解除棒１１ａと、解除棒１１ａに取付けられたローラー１１ｂとで構成され筒７ｂに設けられた溝カム７ｃ部に係合している。従ってロック解除機構１１は、ロック機構８が封函位置、即ちロック機構８が内蓋Ａ１４ａを押圧している時である図３の位置にある時が図２、図５の位置であり即ち外蓋Ａ１４ｃの内側に位置しているものである。
【００１６】
次に外蓋Ａ１４ｃを封函する方向に封函動作するに従い、外蓋Ａ１４ｃがロック解除機構１１のローラー１１ｂに当接し、さらに外蓋Ａ１４ｃを動かすと溝カム７ｃに解除棒１１ａの根元が当接するので図４の鎖線においてロック軸１０はバネ９に抗して右方向に後退する。後退するに従いロック軸１０はロック穴６ｂとの拘束が解かれると同時に引戻しバネ１２の弾性力により、ロック軸１０の先端部がカム６ｃに沿って摺動する事になり、これを案内としてロック機構８は、回転軸１３を中心にして筒７ｂの外観の一部がストッパー６ｄに当接するまで左回転してロック機構８の封函解除となるものである。
【００１７】
箱体は、通常図１３に示す（イ）の状態から（ロ）（ハ）（ニ）の順に封函するものである。封函前には内蓋Ａ１４ａ、内蓋Ｂ１４ｂ、外蓋Ａ１４ｃ、外蓋Ｂ１４ｄは開封した状態にあり、図１０に示すように開封状態で箱体の補助装置の載置板１ｃの上に矢印方向（ヘ）に向けて載置し、即ち最初に封函する内蓋Ａ１４ａがポール６側にくる位置に載置後、この状態で花束等を箱体内に挿入する。従って図９に示すように挿入作業が行い易いように箱体の補助装置の枠体１は作業者に近い方を低く、遠い方を高くしてある。
【００１８】
次に本発明の作用を説明すると、前記図１０の状態において箱体に花束等を挿入し、続いて封函作業に移る。まず内蓋Ａ１４ａを折畳む即ち図１３（ロ）に示す状態である。その後前記したポール６の上部側端部にあるロック機構８を図４の垂直位置より右回転させる事により、ロック機構８は回転軸１３を回転中心にしてロック軸１０の先端部がカム６ｃ面を摺動しながら鎖線で示す封函位置まで移動される。この状態が図３である、即ちロック機構８により内蓋Ａ１４ａに押圧を加えた状態で保持されているものである。
【００１９】
これにより作業者は両手が自由になる為移動でき、内装物である花束等の抵抗に抗して反対側の内蓋Ｂ１４ｂを折畳む事ができる。この状態が図１３（ハ）である。即ち一方の内蓋Ａ１４ａをロック機構８が保持し、他方である内蓋Ｂ１４ｂを片方の手（例えば左手）が保持している状態である。さらに続いて（ニ）に移行するには外蓋Ａ１４ｃをもう一方の手（例えば右手）で折畳めばよい。
【００２０】
あるいは図５において外蓋Ａ１４ｃの封函動作を進めるに従い外蓋Ａ１４ｃは、ロック解除機構１１の解除棒１１ａに取付けられたローラー１１ｂに当接する。さらに動作を進めると、図４の鎖線で示す位置において解除棒１１ａは溝カム７ｃに沿ってバネ９に抗して右側に押圧される為、前記の解除棒１１ａと一体であるロック軸１０も右側に移動しロック軸１０の先端がロック穴６ｂより外れることにより、引戻しバネ１２の作用でロック機構８は回転軸１３を中心に前記ロック軸１０の先端部がカム６ｃ面を摺動しながら筒７ｂの一部がストッパー６ｄに当たる位置迄はね上げられるので、ロック機構８は内蓋Ａ１４ａの封函を解除する。つまり作業者は前記の内蓋Ａ１４ａを折畳み状態で保持しているロック機構８を自らの手を使うことなく外蓋Ａ１４ｃの折畳み動作をすることで自動的に解除できる。
【００２１】
ここまでの封函動作は、図１３（ニ）に示す箱体の蓋の位置である。この時点で前記の短辺蓋である内蓋Ａ１４ａと内蓋Ｂ１４ｂは、長辺蓋である外蓋Ａ１４ｃにより作業者の片手(例えば右手)で押圧を加えられ保持された状態である。最後に作業者のもう一方の手(例えば左手)で外蓋Ｂ１４ｄを折畳むことで箱体の封函作業は完了である。
【００２２】
尚、作業終了後は図７、図８に示すように枠体１を支えているリンク３、４を折畳み、続いて脚部２ｃを折畳む。その際図１２に示す側板１ａに取付けたポール６は、調節ネジ部材１５により９０度づつ回転することができる為、側板１ａと平行になる位置、つまり図１２（ト）の位置で固定することによりコンパクトに収納することができる。
【００２３】
ところで図１１は、例えば作業者が高齢者等の場合、腕の力が衰えていて前記の箱体の外蓋Ａ１４ｃを折畳む際、つまり図１３（ニ）の状態にしたくても片手だけではスムーズに折畳むことが困難な場合がある。この場合は前記ロック機構８を備えたポール６を現在取付けられている位置と対称に、もう１機取り付けることで両手がまったく自由になり、非力な者でも楽に外蓋Ａ１４ｃを折畳むことができる。
【００２４】
この場合前記の箱体は挿入物の種類により長辺の長さが例えば９００〜１５００ｍｍ程度と異なる為、ポール６を双方に取付けた場合、長辺の長さの違う箱体を載置するには、枠体１の連接部材１ｂ及び架台２の継ぎ材２ｂの長さを変えなければ載置できない、その為前記の連接部材１ｂ及び継ぎ材２ｂに設けられた調節ネジ１ｄにより、枠体１の長辺の長さを自由に変えることができる。
【００２５】
【発明の効果】
本発明によれば段ボール箱の蓋を折畳む一連の封函作業を一人の作業者で、楽にしかもワンタッチ操作で行うことができ、切り花等の長尺植物の段ボール箱への封函作業が大幅に効率化されるという、すぐれた効果を奏する。
【００２６】
また枠体及び脚部を折畳むことにより、収納、搬送が簡単にできる為、作業現場を自由に移動でき、どこでも作業できる。
【００２７】
さらに段ボール箱載置台が作業者の対面する方向に対して傾斜をつけているので、作業者は不自然な前傾姿勢を要求されず封函作業が自然な姿勢でおこなうことができ、身体の疲労度を減らすことができるといった長所がある。
【図面の簡単な説明】
【図１】本発明による箱体の封函補助装置の外観斜視図である。
【図２】箱蓋押え機構部と押え部解除機構部の説明図である。
【図３】箱蓋押え機構部と押え部解除機構部の相対関係位置を示す説明図である。
【図４】箱蓋押え機構部と押え部解除機構部の作動図である。
【図５】図３に示す矢印（ホ）より見た箱体の封函補助装置の側面図である。
【図６】脚部を取付けている固定軸を示す図である。
【図７】段ボール箱載置台と脚部を折畳んだ状態を示す正面図である。
【図８】段ボール箱載置台と脚部を折畳んだ状態を示す側面図である。
【図９】作業者と段ボール箱を載置した箱体の封函補助装置との関係位置を示す図である。
【図１０】箱体と箱体の封函補助装置との関係位置を示す図である。
【図１１】枠体に箱蓋押え機構部と押え部解除機構部を備えたポールを双方に対称に取付けた場合の箱体との関係位置を示す図である。
【図１２】箱蓋押え機構部と押え部解除機構部を備えたポールと側板との関係位置を示す図である。
【図１３】封函手順を示した段ボール箱の斜視図である。
【符号の説明】
１  枠体
２  架台
２ｃ  脚部
３  リンク
４  リンク
６  ポール
７  アーム部材
８  ロック機構
11  ロック解除機構
12  引戻しバネ
14  箱体
【図１】
0004210720.tif 000002
【図２】
0004210720.tif 000003
【図３】
0004210720.tif 000004
【図４】
0004210720.tif 000005
【図５】
0004210720.tif 000006
【図６】
0004210720.tif 000007
【図７】
0004210720.tif 000008
【図８】
0004210720.tif 000009
【図９】
0004210720.tif 000010
【図１０】
0004210720.tif 000011
【図１１】
0004210720.tif 000012
【図１２】
0004210720.tif 000013
【図１３】
0004210720.tif 000014